(57)【要約】【課題】回転ブラシの塵埃を効果的に除去できる電気掃除機を提供する。【解決手段】電気掃除機は、電動送風機を収容した掃除機本体を有する。電気掃除機は、電動送風機の吸込側に連通する風路Ｗを内部に区画する連通管24を有する。電気掃除機は、連通管24の先端側に着脱可能な床ブラシを有する。床ブラシは、ケース体を備える。床ブラシは、ケース体に回転可能でかつ着脱可能に配置した回転ブラシ33を備える。回転ブラシ33は、軸状の軸部41を有する。回転ブラシ33は、軸部41の外周に複数の毛ブラシ部42を突設する。連通管24は、ケース体から取り外して風路Ｗの内部に挿入した回転ブラシ33の塵埃を除去する爪部45を備える。【選択図】図１
2013230252.tif 000002
【特許請求の範囲】
【請求項１】
電動送風機を収容した掃除機本体と、
前記電動送風機の吸込側に連通する風路を内部に区画する連通管と、
この連通管の先端側に着脱可能な吸込口体とを具備し、
前記吸込口体は、
ケース体と、
軸状の軸部、および、この軸部の外周に突設された複数の清掃部を有し、前記ケース体に回転可能でかつ着脱可能に配置された回転清掃体とを備え、
前記連通管は、前記ケース体から取り外されて前記風路の内部に挿入された前記回転清掃体の塵埃を除去する爪部を備えている
ことを特徴とした電気掃除機。
【請求項２】
爪部は、連通管に対して吸込口体を装着した状態で前記連通管の風路側から退避し、前記連通管に対して前記吸込口体を取り外した状態で前記連通管の風路側に進出する
ことを特徴とした請求項１記載の電気掃除機。
【請求項３】
連通管に係止されることにより回転清掃体の連通管内への吸い込みを阻止する係止部を備えている
ことを特徴とした請求項１または２記載の電気掃除機。
【請求項４】
回転清掃体を係止部により連通管に対して係止した状態で負圧によってこの回転清掃体を回転させる羽根車を備えている
ことを特徴とした請求項３記載の電気掃除機。
【請求項５】
羽根車は、回転清掃体を、この回転清掃体の吸込口体での回転方向と反対方向に回転させる
ことを特徴とした請求項４記載の電気掃除機。
【請求項６】
回転清掃体は、軸部に接続された操作摘みを有し、
係止部は、
この係止部を連通管に対して回り止めする回り止め部と、
この回り止め部により前記係止部を前記連通管に対して回り止めした状態で風路と連通する通気開口とを備えている
ことを特徴とした請求項３記載の電気掃除機。
【請求項７】
連通管の端部近傍に配置され、電動送風機の動作のオンオフを設定する設定手段を具備した
ことを特徴とした請求項１ないし６いずれか一記載の電気掃除機。
【請求項８】
連通管は、端部の風路側の形状が、清掃部に対して当接する短軸側と清掃部に対して当接しない長軸側とを有する楕円形状となっている
ことを特徴とした請求項１ないし７いずれか一記載の電気掃除機。
【発明の詳細な説明】
【技術分野】
【０００１】
本発明の実施形態は、回転可能な回転清掃体を有する吸込口体を備えた電気掃除機に関する。
【背景技術】
【０００２】
従来、電気掃除機に用いられる吸込口体である床ブラシとして、横長のケース体、このケース体の被掃除面に対向する下部に開口された吸込口、この吸込口に回転可能に配置された回転清掃体としての回転ブラシ、および、この回転ブラシを回転駆動させる駆動手段としての電動機を備えたものがある。回転ブラシは、軸状の軸部、および、この軸部の外周に複数列突出する清掃部としての毛ブラシ部を有している。そして、この床ブラシは、被掃除面の種類に応じて、例えば被掃除面が絨毯である場合などに、電動機によって回転ブラシを回転させ、毛ブラシ部によって塵埃を掻き出して掃除する。
【０００３】
このような床ブラシの場合、被掃除面上の特に毛髪などの細い糸状の塵埃が回転ブラシに絡み付きやすく、このような塵埃の絡み付きは、回転ブラシの回転のロックなどの原因となり得る。そのため、絡み付いた塵埃は除去する必要があるものの、使用者が塵埃に直接触れて除去することは衛生面から好ましくないので、使用者が触れることなく塵埃を除去できるようにすることが望ましい。
【先行技術文献】
【特許文献】
【０００４】
【特許文献１】特開２０１１−１６０８６６号公報
【発明の概要】
【発明が解決しようとする課題】
【０００５】
上記特許文献１記載の床ブラシは、ケース体の側部に吸込口の側部と連通する開口を備え、この開口から回転ブラシを着脱できるように構成されている。そして、この開口の内部には爪部が突設されており、使用者が回転ブラシをこの開口から引き出す際に爪部が毛ブラシ部の列間に入り込むことで、回転ブラシに絡み付いた塵埃を、使用者が直接触れることなく掻き落とし、電動送風機の駆動によって生じた負圧によって、この掻き落とした塵埃を吸い込むようになっている。
【０００６】
しかしながら、このような構成の場合、床ブラシを被掃除面に接地した状態としないと、吸込口が大気開放となって負圧が作用せず、回転ブラシから掻き落とした塵埃が床ブラシの外へ落下するという問題がある。そのため、床ブラシを被掃除面に接地させて回転ブラシを目視しない状態で床ブラシの開口から引き出すこととなり、塵埃を効果的に除去できない。また、回転ブラシに絡み付いた塵埃は、この回転ブラシの周方向、すなわち塵埃の吸い込み方向に沿っているため、毛髪を吸い込みにくい。
【０００７】
本発明が解決しようとする課題は、回転清掃体の塵埃を効果的に除去できる電気掃除機を提供することである。
【課題を解決するための手段】
【０００８】
実施形態の電気掃除機は、電動送風機を収容した掃除機本体を有する。また、この電気掃除機は、電動送風機の吸込側に連通する風路を内部に区画する連通管を有する。さらに、この電気掃除機は、連通管の先端側に着脱可能な吸込口体を有する。この吸込口体は、ケース体を備える。また、この吸込口体は、ケース体に回転可能でかつ着脱可能に配置された回転清掃体を備える。この回転清掃体は、軸状の軸部を有する。また、この回転清掃体は、軸部の外周に突設された複数の清掃部を有する。そして、連通管は、ケース体から取り外されて風路の内部に挿入された回転清掃体の塵埃を除去する爪部を備える。
【図面の簡単な説明】
【０００９】
【図１】第１の実施形態の電気掃除機の一部を示す斜視図である。
【図２】同上電気掃除機の連通管を上流側から示す正面図である。
【図３】同上電気掃除機の吸込口体を示す平面図である。
【図４】同上電気掃除機を示す斜視図である。
【図５】第２の実施形態の電気掃除機の連通管を示す断面図であり、(a)は爪部が進出した状態を示し、(b)は爪部が退避した状態を示す。
【図６】第３の実施形態の電気掃除機の一部を示す斜視図である。
【図７】第４の実施形態の電気掃除機の回転清掃体を示す斜視図である。
【図８】同上回転清掃体を示す側面図である。
【図９】同上電気掃除機の一部を示す斜視図である。
【図１０】第５の実施形態の電気掃除機の回転清掃体を示す斜視図である。
【図１１】第６の実施形態の電気掃除機の一部を示す斜視図である。
【図１２】第７の実施形態の電気掃除機の一部を示す断面図である。
【発明を実施するための形態】
【００１０】
以下、第１の実施形態の構成を図１ないし図４を参照して説明する。
【００１１】
図４において、11はいわゆるキャニスタ型の電気掃除機を示し、この電気掃除機11は、掃除機本体12と、この掃除機本体12に着脱可能に接続される吸込風路体(風路形成体)である管部13とを有している。
【００１２】
掃除機本体12は、被掃除面上を旋回および走行可能であり、電動送風機17、この電動送風機17の動作を制御する図示しない本体制御部、および、これら電動送風機17および本体制御部などに給電するための電源部などを収容しているとともに、電動送風機17の吸込側に連通する集塵部18を備えている。また、掃除機本体12の前部には、集塵部18に連通するとともに管部13の基端側が接続される本体吸込口19が開口形成されている。
【００１３】
また、管部13は、電動送風機17の吸込側と連通して掃除機本体12に着脱可能に接続されるもので、ホース体21と、このホース体21に対して着脱可能な延長管22と、この延長管22に対して着脱可能な吸込口体としての床ブラシ23とを備えている。そして、ホース体21と延長管22とにより、電動送風機17の吸込側に連通する風路Ｗを内部に区画する連通管24が構成されている。なお、以下、電動送風機17の吸込側に連通する空気の流れ(気流)において、電動送風機17の吸込側に対して相対的に遠い側を上流側、電動送風機17の吸込側に対して相対的に近い側を下流側というものとする。
【００１４】
ホース体21は、可撓性を有するホース部25と、このホース部25の基端側(下流側)に設けられ本体吸込口19に接続される接続管部26と、ホース部25の先端側(上流側)に設けられた手元操作部27とを有している。
【００１５】
手元操作部27には、延長管22の基端側(下流側)が着脱可能に接続される。また、この手元操作部27には、作業者が把持する把持部28が基端側に突出して形成されており、この把持部28には電動送風機17の動作モードなどを本体制御部に設定するための設定部としての設定ボタン29が配置されている。
【００１６】
また、床ブラシ23は、左右幅方向に長手状、すなわち横長に形成されたケース体31、このケース体31に回動可能に接続された接続管32、ケース体31に回転可能に軸支された回転清掃体としての回転ブラシ33、この回転ブラシ33を回転駆動させる駆動手段としてのモータ34、このモータ34の駆動力を回転ブラシ33に伝達する伝達手段としての駆動伝達部である無端状のタイミングベルト35、および、モータ34の駆動を制御する制御回路などを備えた制御部36などを備えている。そして、この床ブラシ23は、例えば図示しない走行輪などにより、被掃除面上を走行可能となっている。
【００１７】
ケース体31は、例えば複数のケース部を互いに組み合わせて幅方向に長手状、すなわち横長に構成されており、回転ブラシ33が位置する横長の吸込口38が下部に開口されている。さらに、このケース体31の下部の両側は、開閉蓋体39，39により開閉可能となっている。なお、以下、前後方向は、ケース体31の走行方向を基準とし、この走行方向に対して平面視で直交する方向を左右方向(幅方向)とする。
【００１８】
回転ブラシ33は、長尺の軸状の軸部41と、この軸部の外周に径方向に沿って放射状に複数突出する清掃部である毛ブラシ部42とを有し、軸部41の両端が軸受体43によりケース体31に保持される。そして、この回転ブラシ33は、開閉蓋体39，39を開くことでケース体31から取り外し可能となっている。換言すれば、回転ブラシ33は、ケース体31に対して着脱可能となっている。
【００１９】
軸部41は、吸込口38の左右幅寸法と略等しい軸方向寸法(長手寸法)を有している。
【００２０】
また、各毛ブラシ部42は、多数の清掃部材としてのブラシ毛42aを壁状に備えて構成されている。これらブラシ毛42aは、軸部41に対して基端側が植毛され、先端側が軸部41の径方向に沿って突出している。さらに、各毛ブラシ部42は、軸部41の一端側から他端側に亘って螺旋状に捻れており、軸部41の軸方向の各位置において、互いに略等間隔に離間されている。
【００２１】
また、各軸受体43は、ケース体31の吸込口38の両側の図示しない軸受部にそれぞれ保持される被保持部43aと、この被保持部43aに対して回転自在で軸部41と一体的に設けられた軸受体本体43bとを備えている。さらに、一方の軸受体43の軸受体本体43bは、モータ34の回転軸34aに対してタイミングベルト35を介して接続されている。そして、このモータ34の回転力がタイミングベルト35により一方の軸受体43の軸受体本体43bに伝達されることによって回転ブラシ33が吸込口38内で回転可能となっている。さらに、これら軸受体43は、開閉蓋体39，39によって覆われている。
【００２２】
さらに、接続管32は、延長管22の先端(上流端)側の内部(風路Ｗ内)に挿入されて接続される。
【００２３】
そして、延長管22(連通管24)の先端側(上流側)の内部(風路Ｗ内)には、回転ブラシ33の清掃用の複数の爪部45が配置されている。なお、これら爪部45の個数は、例えば毛ブラシ部42の数(毛ブラシ部42，42間の数)に対応している。また、これら爪部45は、延長管22の径方向に沿って中心側(風路Ｗ側)へと突出し、かつ、延長管22の軸方向に沿ってリブ状に形成されている。さらに、これら爪部45の先端側の両側には、徐々に厚み寸法が小さくなるように、傾斜面45a，45aが形成されている。したがって、各爪部45は、先端側が尖って形成されている。
【００２４】
次に、上記第１の実施形態の動作を説明する。
【００２５】
掃除の際には、掃除機本体12の本体吸込口19にホース体21の接続管部26を接続し、このホース体21の手元操作部27に延長管22を接続し、この延長管22に床ブラシ23の接続管32を接続する。この結果、床ブラシ23が、(延長管22、ホース体21、本体吸込口19および集塵部18を介して)電動送風機17の吸込側に連通接続される。
【００２６】
そして、使用者は、電源部から給電可能な状態とした後、把持部28を把持し、所望の設定ボタン29を操作することにより、本体制御部を介して電動送風機17を所望の動作モードで起動させる。この電動送風機17の駆動により、負圧が集塵部18、本体吸込口19、ホース体21、延長管22および床ブラシ23へと順次作用する。そして、使用者は、床ブラシ23を被掃除面上に載置して前後に走行させることで、吸込口38から塵埃を空気とともに吸い込む。
【００２７】
吸込口41から空気とともに吸い込まれた塵埃は、接続管32、延長管22、ホース体21、本体吸込口19を介して集塵部18へと吸い込まれ、集塵部18において分離捕集される。また、塵埃が捕集された空気は、電動送風機17へと吸い込まれ、この電動送風機17を冷却した後、排気されて排気風となり、掃除機本体12の外部へと排気される。
【００２８】
さらに、例えば絨毯などの被掃除面を掃除する場合など、使用者は適宜回転ブラシ33を駆動させるときには、設定ボタン29を操作すると、制御部36がモータ34を駆動させ、このモータ34の駆動力がタイミングベルト35により回転ブラシ33の一方の軸受体43の軸受体本体43bへと伝達されることで、回転ブラシ33が回転し、各毛ブラシ部42のブラシ毛42aが被掃除面と接触し、この被掃除面に入り込んだ塵埃などを掻き出す。
【００２９】
掃除が終了すると、使用者は設定ボタン29を操作することで、本体制御部を介して電動送風機17およびモータ34を停止させる。
【００３０】
また、例えば回転ブラシ33に毛髪などの糸状の塵埃が絡み付いた場合には、まず、床ブラシ23を延長管22の先端側から取り外し、開閉蓋体39，39を開いてタイミングベルト35を一方の軸受体43から取り外し、回転ブラシ33をケース体31から取り外した後、電動送風機17を駆動させた状態で、延長管22(連通管24)の先端側と一方の軸受体43とを把持して、他方の軸受体43側から回転ブラシ33を延長管22(連通管24)の風路Ｗの先端側(上流側)に対して出し入れする。この結果、爪部45が回転ブラシ33の毛ブラシ部42のブラシ毛42aを弾いたり、毛ブラシ部42，42間に引っ掛かっている塵埃を切断したりすることで塵埃をほぐし、回転ブラシ33から塵埃を除去する。この除去された塵埃は、負圧によって延長管22から直ちに風路Ｗへと吸い込まれ、ホース体21および本体吸込口19を経由して集塵部18に捕集される。
【００３１】
上述したように、上記第１の実施形態によれば、延長管22(連通管24)に、ケース体31から取り外されて風路Ｗの内部に挿入された回転ブラシ33の毛ブラシ部42に絡み付いた塵埃を除去する爪部45を設けることで、電動送風機17を駆動させた状態で回転ブラシ33を風路Ｗの内部に挿入することにより、爪部45によって回転ブラシ33から効果的に塵埃を除去しつつ、この除去した塵埃を外部に飛散させることなく集塵部18へと吸い込んで集塵できる。
【００３２】
次に、第２の実施形態を図５を参照して説明する。なお、上記第１の実施形態と同様の構成および作用については、同一符号を付してその説明を省略する。
【００３３】
この第２の実施形態は、上記第１の実施形態の各爪部45に代えて、延長管22の径方向に沿って進退可能な各爪部47をそれぞれ備えているものである。
【００３４】
各爪部47は、延長管22(連通管24)の先端側(上流側)にて風路Ｗ外に形成された収納部49に対して進退可能であり、延長管22(連通管24)の内部(風路Ｗ内)に床ブラシ23(床ブラシ23の接続管32)を挿入接続した状態で収納部49へと退避し、延長管22の先端側から床ブラシ23を取り外した状態で収納部49の各スリット50から延長管22(連通管24)の中心軸側(径方向内側)、すなわち風路Ｗ側へとそれぞれ突出するように構成されている。
【００３５】
具体的に、各爪部47は、例えば側面視で鈍角三角形状、あるいは直角三角形状のリブであり、鈍角、あるいは直角に対応する角部47aの位置に、収納部49内に軸支された回動軸47bが厚さ方向に突設されているとともに、一方の鋭角に対応する角部47cの位置に、各スリット50の縁部に係止されて各爪部47の回動位置(回動角度)を規制するストッパ47dが厚さ方向に突設されている。さらに、これら爪部47は、収納部49内に配置された付勢手段としてのトーションばね52により、他方の鋭角に対応する角部47e、および、角部47a，47e間に直線状に連続する辺部47fがそれぞれ収納部49のスリット50から突出する方向に向けて付勢されている。
【００３６】
また、収納部49は、中空状の空間部である。さらに、スリット50は、各爪部47に対応して、延長管22(連通管24)の軸方向に沿って長孔状に開口されている。
【００３７】
そして、延長管22(連通管24)の先端側から床ブラシ23(床ブラシ23の接続管32)を取り外した状態では、各トーションばね52の付勢により、各爪部47の角部47eおよび辺部47fがスリット50から突出した位置でストッパ47dがスリット50の縁部に係止される(図５(a))。この状態で、辺部47fは、延長管22(連通管24)の径方向に沿って、中心軸に対して交差(直交)する方向に延びている。したがって、例えば回転ブラシ33に毛髪などの糸状の塵埃が絡み付いた場合には、延長管22(連通管24)の先端側と、床ブラシ23から取り外した回転ブラシ33の一方の軸受体43とを把持し、電動送風機17を駆動させた状態で、他方の軸受体43側から回転ブラシ33を延長管22(連通管24)の風路Ｗの先端側(上流側)に対して出し入れすることで、爪部47により回転ブラシ33に絡み付いた塵埃をほぐし、回転ブラシ33から塵埃を除去する。特に、各爪部47には、延長管22(連通管24)の風路Ｗの先端側(上流側)に対して回転ブラシ33を引き出すときに角部47eに塵埃が引っ掛かり、回転ブラシ33のさらなる引き出しによって塵埃を毛ブラシ部42、あるいは毛ブラシ部42，42間からこそげ落とすことができる。
【００３８】
また、延長管22(連通管24)の先端側に床ブラシ23(床ブラシ23の接続管32)を挿入すると、この床ブラシ23の接続管32の端面と各爪部47の辺部47fとが当接し、さらに床ブラシ23(床ブラシ23の接続管32)を延長管22(連通管24)に接続するために押し込むことで、各爪部47が下流側(後側)へと押し込まれ、トーションばね52の付勢に抗して回動軸47bを中心としてスリット50内へと回動して、収納部49内に収納される(図５(b))。なお、この収納部49に収納された各爪部47は、角部47eが床ブラシ23(床ブラシ23の接続管32の外周面)に対して接触することにより、スリット50から突出しない位置に保持される。
【００３９】
このように、第２の実施形態によれば、各爪部47が、延長管22(連通管24)に対して床ブラシ23を装着した状態で延長管22(連通管24)の風路Ｗ側から退避し、延長管22(連通管24)に対して床ブラシ23を取り外した状態で延長管22(連通管24)の風路Ｗ側に進出することで、床ブラシ23を使用した通常の掃除の際に風路Ｗを通過する含塵空気中の塵埃が各爪部47に引っ掛かることを確実に防止できる。
【００４０】
なお、上記第２の実施形態において、各爪部47は、回転ブラシ33の塵埃を除去できる形状であれば、鈍角三角形状、あるいは直角三角形状などの形状に限定されるものではない。
【００４１】
次に、第３の実施形態を図６を参照して説明する。なお、上記各実施形態と同様の構成および作用については、同一符号を付してその説明を省略する。
【００４２】
この第３の実施形態は、上記各実施形態の回転ブラシ33の一方の軸受体43に、連通管24内への吸い込みを阻止する係止部としてのリブ55が設けられているものである。
【００４３】
このリブ55は、風路Ｗの断面形状(風路Ｗを通過する空気の流れ方向に対して直交する方向の風路Ｗの形状)よりも外縁部(外形(外径))が大きい円板状に形成されている。また、このリブ55は、一方の軸受体43の被保持部43aと一体となっている。すなわち、このリブ55は、軸部41および毛ブラシ部42に対して離間された位置に設けられており、回転ブラシ33を床ブラシ23に装着した状態で、吸込口38の外方に位置して、開閉蓋体39によって覆われる。
【００４４】
そして、例えば回転ブラシ33に毛髪などの糸状の塵埃が絡み付いた場合には、延長管22(連通管24)の先端側と、床ブラシ23から取り外した回転ブラシ33の一方の軸受体43とを把持し、電動送風機17を駆動させた状態で、他方の軸受体43側から回転ブラシ33を延長管22(連通管24)の風路Ｗの先端側(上流側)に対して出し入れすることで、爪部45、あるいは爪部47により回転ブラシ33に絡み付いた塵埃をほぐし、回転ブラシ33から塵埃を除去する。
【００４５】
このとき、使用者が誤って手を滑らせるなど、回転ブラシ33を手放してしまった場合であっても、リブ55が延長管22(連通管24)の上流端に当接することで、回転ブラシ33が負圧によって風路Ｗへと完全に引き込まれることが防止される。
【００４６】
このように、電動送風機17を駆動させている状態で回転ブラシ33を延長管22(連通管24)の先端側に対して出し入れする場合、この電動送風機17の駆動により生じる負圧によって回転ブラシ33には風路Ｗ内へと引き込まれるように常時力が作用する。そのため、上記第３の実施形態では、延長管22(連通管24)に係止されるリブ55を設けることで、使用者が誤って回転ブラシ33を手放した場合などでも、回転ブラシ33の延長管22(連通管24)内、すなわち風路Ｗへの吸い込みを確実に阻止できる。
【００４７】
そして、以上説明した少なくとも１つの実施形態によれば、電動送風機17を駆動させて風路Ｗに負圧を発生させた状態で回転ブラシ33を風路Ｗ内に出し入れして、回転ブラシ33に絡み付いた塵埃を爪部45、あるいは爪部47によって除去するので、使用者は、回転ブラシ33に絡み付いた塵埃の残り具合を目視確認しながら、効果的に除去できる。
【００４８】
次に、第４の実施形態を図７ないし図９を参照して説明する。なお、上記各実施形態と同様の構成および作用については、同一符号を付してその説明を省略する。
【００４９】
この第４の実施形態は、上記第３の実施形態の回転ブラシ33に、回転ブラシ33をリブ55により延長管22(連通管24)に対して係止した状態で負圧によってこの回転ブラシ33を回転させる羽根車57を備えるものである。
【００５０】
この羽根車57は、複数の羽根57aを有する軸流ファンであり、一方の軸受体43の軸受体本体43bに一体に形成されている。なお、この羽根車57の各羽根57aは、回転ブラシ33を床ブラシ23での回転方向と反対方向に回転させるように形成することが好ましい。
【００５１】
また、リブ55には、通気を確保するための通気開口55aが厚さ方向に貫通して(回転ブラシ33の軸方向に沿って)複数開口されているとともに、外縁部に、リブ55を延長管22(連通管24)に対して周方向に回り止めするための回り止め部としての切欠部55bが複数切り欠き形成されている。
【００５２】
通気開口55aは、リブ55の周方向に略等間隔で配置されている。
【００５３】
また、切欠部55bは、延長管22(連通管24)の先端の周縁部に形成された複数の回り止め固定部である固定リブ58に嵌合するように形成されている。
【００５４】
そして、例えば回転ブラシ33に毛髪などの糸状の塵埃が絡み付いた場合には、延長管22(連通管24)の先端側と、床ブラシ23から取り外した回転ブラシ33の一方の軸受体43とを把持し、電動送風機17を駆動させた状態で、他方の軸受体43側から回転ブラシ33を延長管22(連通管24)の風路Ｗの先端側(上流側)に対して挿入し、リブ55の各切欠部55bを延長管22(連通管24)の各固定リブ58に嵌合させる。この状態で、リブ55の各通気開口55aが風路Ｗと連通して通気が確保され、この通気によって羽根車57が回転することで、この羽根車57と一体の回転ブラシ33が風路Ｗの内部で周方向に自動的に回転し、爪部45、あるいは爪部47が毛ブラシ部42を弾くなどして回転ブラシ33に絡み付いた塵埃をほぐし、回転ブラシ33から塵埃を除去する。
【００５５】
このように、上記第４の実施形態によれば、回転ブラシ33をリブ55により延長管22(連通管24)に対して係止した状態で電動送風機17の駆動により生じる負圧によってこの回転ブラシ33を回転させる羽根車57を備えることで、回転ブラシ33を風路Ｗに挿入して延長管22(連通管24)に係止するだけで回転ブラシ33が自動的に回転して爪部45、あるいは爪部47によって回転ブラシ33から塵埃を自動的に、かつ、効率よく除去できる。
【００５６】
また、羽根車57により、回転ブラシ33を床ブラシ23での回転方向と反対方向に回転させることで、床ブラシ23に装着された回転ブラシ33によって被掃除面を掃除した際に絡み付いた塵埃を、絡み付いた方向と反対方向にほぐすことができる。したがって、回転ブラシ33に絡み付いた塵埃を、より効果的に除去できる。
【００５７】
なお、上記第４の実施形態の羽根車57は、回転ブラシ33の少なくともいずれかの軸受体43の軸受体本体43bに形成することで、同様の作用効果を奏することができる。
【００５８】
次に、第５の実施形態を図１０を参照して説明する。なお、上記各実施形態と同様の構成および作用については、同一符号を付してその説明を省略する。
【００５９】
この第５の実施形態の延長管22(連通管24)は、上記第３の実施形態のリブ55に代えて、係止部としてのリブ61を備えるとともに、操作摘み62によって回転ブラシ33がリブ61に対して回転操作可能となっているものである。
【００６０】
このリブ61は、風路Ｗの断面形状(風路Ｗを通過する空気の流れ方向に対して直交する方向の風路Ｗの形状)よりも外縁部(外形(外径))が大きい円板状に形成されている。また、このリブ61は、一方の軸受体43と軸部41の一端部との間に位置しており、軸部41が中央部に挿通されている。すなわち、リブ61に対して、回転ブラシ33は回動自在となっている。また、このリブ61には、通気を確保するための通気開口61aが厚さ方向に貫通して(回転ブラシ33の軸方向に沿って)複数開口されているとともに、外縁部に、リブ61を延長管22(連通管24)に対して周方向に回り止めするための回り止め部としての切欠部61bが複数切り欠き形成されている。
【００６１】
通気開口61aは、リブ61の周方向に略等間隔で配置されている。
【００６２】
また、切欠部61bは、延長管22(連通管24)の先端の周縁部に形成された固定リブ58に嵌合するように形成されている。
【００６３】
一方、操作摘み62は、リブ61に挿通された軸部41と連結されており、リブ61に対して軸部41(回転ブラシ33)とは反対側(リブ61の一端側)に位置している。また、この操作摘み62には、使用者が指先を嵌合させる凹部62aが形成されている。
【００６４】
そして、例えば回転ブラシ33に毛髪などの糸状の塵埃が絡み付いた場合には、延長管22(連通管24)の先端側と、床ブラシ23から取り外した回転ブラシ33の一方の軸受体43とを把持し、電動送風機17を駆動させた状態で、他方の軸受体43側から回転ブラシ33を延長管22(連通管24)の風路Ｗの先端側(上流側)に対して挿入し、リブ61の各切欠部61bを延長管22(連通管24)の各固定リブ58に嵌合させる。この状態で、リブ61の各通気開口61aが風路Ｗと連通して通気が確保され、使用者が操作摘み62の凹部62aに指先を嵌合させ、この操作摘み62を軸部41とともに回転ブラシ33を風路Ｗの内部で周方向に回転させることで、爪部45、あるいは爪部47が毛ブラシ部42を弾くなどして回転ブラシ33に絡み付いた塵埃をほぐし、回転ブラシ33から塵埃を除去する。
【００６５】
このように、上記第５の実施形態によれば、軸部41に操作摘み62を接続するとともに、リブ61に、固定リブ58と嵌合して延長管22(連通管24)に対して回り止めする切欠部61bと、これら切欠部61bによりリブ61を回り止めした状態で風路Ｗと連通する通気開口61aとを設けることにより、電動送風機17の駆動により生じる負圧によって空気を風路Ｗに通気開口61aから吸い込みながら回転ブラシ33を風路Ｗ内で手動によって任意の方向に回転させて爪部45、あるいは爪部47により回転ブラシ33に絡み付いた塵埃を除去できるので、回転ブラシ33からの塵埃の除去効率をより向上できる。
【００６６】
なお、上記第３ないし第５の実施形態において、リブ55，61は、回転ブラシ33を延長管22(連通管24)の先端側に係止できれば、円形状に限定されない。
【００６７】
また、上記第５の実施形態において、図１１に示す第６の実施形態のように、連通管24の端部である延長管22の先端側、すなわち爪部45、あるいは爪部47の近傍に、電気掃除機11(電動送風機17)のオンオフを設定する設定手段としての電源スイッチ65を設けてもよい。この場合には、回転ブラシ33に絡み付いた毛髪などの糸状の塵埃を爪部45、あるいは爪部47によって除去する際、回転ブラシ33を挿入するために延長管22(連通管24)の先端側の位置を把持するときに電源スイッチ65によって電気掃除機11(電動送風機17)を容易に起動させることができるとともに、回転ブラシ33に絡み付いて塵埃の除去が収容した際には、電源スイッチ65によって電気掃除機11(電動送風機17)を容易に停止させることができるなど、回転ブラシ33のメンテナンス動作をより容易化でき、使い勝手が良好になる。
【００６８】
さらに、この第６の実施形態の電源スイッチ65は、上記第１ないし第４の各実施形態のいずれに適用してもよい。
【００６９】
次に、第７の実施形態を図１２を参照して説明する。なお、上記各実施形態と同様の構成および作用については、同一符号を付してその説明を省略する。
【００７０】
この第７の実施形態は、上記の第１の実施形態の延長管22(連通管24)の先端の風路Ｗ側(内周面)の形状(断面形状)が、毛ブラシ部42(毛ブラシ部42のブラシ毛42a)の先端側に対して当接する短軸L1側(例えば上下側)と毛ブラシ部42(毛ブラシ部42のブラシ毛42a)の先端側に対して当接しない長軸L2側(例えば左右側)とを有する楕円形状となっているものである。
【００７１】
これら短軸L1と長軸L2とは互いに直交している。また、爪部45は、短軸L1の近傍に位置しており、毛ブラシ部42に対して当接可能となっている。すなわち、これら爪部45は、短軸L1の上下の両側に位置している。さらに、長軸L2側において、毛ブラシ部42のブラシ毛42aの先端側と風路Ｗとの間には、間隙Ｇが生じている。
【００７２】
そして、回転ブラシ33に毛髪などの糸状の塵埃が絡み付いた場合には、延長管22(連通管24)の先端側と、床ブラシ23から取り外した回転ブラシ33とを把持し、電動送風機17を駆動させた状態で、他方の軸受体43側から回転ブラシ33を延長管22(連通管24)の風路Ｗの先端側(上流側)に対して挿入し、風路Ｗの内部で周方向に回転させる。このとき、風路Ｗにおいては、回転ブラシ33の毛ブラシ部42のブラシ毛42aの先端側と当接する短軸L1側では、長軸L2側よりも吸込真空度が相対的に高くなっており、回転ブラシ33の毛ブラシ部42のブラシ毛42aの先端側と当接しない(間隙Ｇが形成される)長軸L2側では、短軸L1側よりも空気の流れが相対的に高くなっている。この結果、風路Ｗにおいて負圧による吸い込みおよび空気の流れにそれぞれ緩急が生じ、爪部45とともに回転ブラシ33から塵埃を効率よく除去できる。
【００７３】
なお、上記第７の実施形態は、上記第２ないし第６の実施形態のいずれに適用してもよい。
【００７４】
そして、以上説明した少なくとも１つの実施形態によれば、延長管22(連通管24)に、ケース体31から取り外されて風路Ｗの内部に挿入された回転ブラシ33の毛ブラシ部42に絡み付いた塵埃を除去する爪部45、あるいは爪部47を設けることで、電動送風機17を駆動させた状態で回転ブラシ33を風路Ｗの内部に挿入することにより、この風路Ｗが狭くなって吸込力が増加し、吸込力を確保した状態で爪部45、あるいは爪部47によって除去した塵埃を効率よく吸い込むことができる。この結果、回転ブラシ33に絡み付いた塵埃を、使用者が直接触れることなく、かつ、外部に飛散させることなく効果的に除去できる。
【００７５】
また、回転ブラシ33に対する塵埃の絡み付き方向は回転ブラシ33の周方向であるため、爪部45、あるいは爪部47によって塵埃を除去するために回転ブラシ33を軸方向に沿って延長管22(連通管24)内の風路Ｗに挿入すると、負圧によって塵埃の絡み付き方向と交差(直交)する方向に塵埃が吸い込まれることとなり、絡み付いた塵埃をより効果的にほぐして除去できる。
【００７６】
なお、上記各実施形態において、爪部45，47は、例えば手元操作部27の先端側などに設けてもよい。
【００７７】
また、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７８】
11    電気掃除機
12    掃除機本体
17    電動送風機
23    吸込口体としての床ブラシ
24    連通管
31    ケース体
33    回転清掃体としての回転ブラシ
41    軸部
42    清掃部としての毛ブラシ部
45，47    爪部
55，61    係止部としてのリブ
57    羽根車
61a   通気開口
61b   回り止め部としての切欠部
62    操作摘み
65    設定手段としての電源スイッチ
L1    短軸
L2    長軸
Ｗ    風路
【図１】
2013230252.tif 000003
【図２】
2013230252.tif 000004
【図３】
2013230252.tif 000005
【図４】
2013230252.tif 000006
【図５】
2013230252.tif 000007
【図６】
2013230252.tif 000008
【図７】
2013230252.tif 000009
【図８】
2013230252.tif 000010
【図９】
2013230252.tif 000011
【図１０】
2013230252.tif 000012
【図１１】
2013230252.tif 000013
【図１２】
2013230252.tif 000014